(57)【要約】  この空調用室内機は、冷媒回路の熱交換器、熱交換器の下方に配備されたドレンパン、熱交換器に送風する送風機、送風機などを作動制御する制御用部品を収容した制御箱、および筐体、を備えて成り、熱交換器、ドレンパン、送風機、および制御箱が筐体内に格納され、筐体にドレンパン出し入れ用開口が形成され、筐体の側板部にヒンジ部が配備され、制御箱がヒンジ部を介して筐体のドレンパン出し入れ用開口に対し格納取出し自在に筐体に連結されている。これにより、機内配線を制御箱から取り外すだけで、筐体から制御箱を取り外すことなく、ドレンパンを筐体から着脱できる。
2017122343.tif 000002
【特許請求の範囲】
【請求項１】
冷媒回路の熱交換器、前記熱交換器の下方に配備されたドレンパン、前記熱交換器に送風する送風機、前記送風機などを作動制御する制御用部品を収容した制御箱、および筐体、を備えて成り、前記熱交換器、前記ドレンパン、前記送風機、および前記制御箱が前記筐体内に格納され、前記筐体にドレンパン出し入れ用開口が形成され、前記筐体の側板部にヒンジ部が配備され、前記制御箱が前記ヒンジ部を介して前記筐体のドレンパン出し入れ用開口に対し格納取出し自在に前記筐体に連結されている空調用室内機。
【請求項２】
ヒンジ部が筐体の側板部の下辺に配備され、制御箱がドレンパンの下方位置にある前記ドレンパンとの非干渉空間に格納されるととともに前記制御箱が前記筐体の下面のドレンパン出し入れ用開口から下方に取り出される構成にされており、前記ヒンジ部と前記制御箱とが係合用爪部を介して連結され、前記制御箱本体の一部分の寸法が、前記ヒンジ部近傍位置の前記ドレンパンの高さ寸法よりも大きく設定されている請求項１に記載の空調用室内機。
【請求項３】
制御箱が自重により筐体の下面から開いたときの前記筐体の下面のドレンパン出し入れ用開口に対する接続板部の開き角度が９０度以上となるように、前記制御箱の重心が設定されている請求項２に記載の空調用室内機。
【請求項４】
ヒンジ部が、筐体の側板部に形成された係合用切欠き部と、制御箱に突設されていて前記係合用切欠き穴部に取付け取外し可能に挿入され且つ上下揺動自在に係止される係合用爪部と、から構成されている請求項２または請求項３に記載の空調用室内機。
【請求項５】
一端が送風機などに接続され他端が制御箱に接続される機内配線が、ドレンパンの外側面と筐体の側板部の内面との隙間を通されて配線される請求項１から請求項４までのいずれか一項に記載の空調用室内機。
【発明の詳細な説明】
【技術分野】
【０００１】
この発明は、パッケージ型エアコンなどに適用される空気調和装置の室内機に係り、特に天井埋込形の空調用室内機を構成する制御箱の取り付け構造に関するものである。
【背景技術】
【０００２】
従来の天井埋込形の空調用室内機は、熱交換器、送風機、ドレンパン、制御箱、および、これらを格納した筐体を備えて構成されている。上記した空調用室内機の制御箱内の端子台には、現地配線や、筐体内の機内配線が接続される。その場合、筐体の側板部の外側または内側に選択的に取り付けられる取付け用ブラケットを介して接続されている (例えば、特許文献１) 。
一方で、天井カセット形で二方向吹き出し式の空調用室内機においては、制御箱内のメンテナンス性を高めたいという要望から、ドレンパンの下面に制御箱が配置されている。
【先行技術文献】
【特許文献】
【０００３】
【特許文献１】実開平４−９５２１８号公報（段落［００３３］〜［００３５］、図１〜４）
【発明の概要】
【発明が解決しようとする課題】
【０００４】
上記のような従来の天井カセット形二方向吹き出し式の空調用室内機の制御箱は、ドレンパンのメンテナンスを行う際に、ドレンパンを筐体から取り外し、筐体のドレンパン出し入れ用開口から取り出す必要がある。その際に、ドレンパンにねじ止めされている制御箱から、現地配線および機内配線を取り外さなければ、ドレンパンを筐体から取り外すことができず、ドレンパンの着脱性が良くないという課題があった。【０００５】
この発明は、上記の課題を解決するためになされたものであり、その目的は機内配線を制御箱から取り外すだけで、ドレンパンを筐体から取り外すことのできる空調用室内機を得るものである。
【課題を解決するための手段】
【０００６】
この発明に係る空気調和装置の空調用室内機は、冷媒回路の熱交換器、熱交換器の下方に配備されたドレンパン、熱交換器に送風する送風機、送風機などを作動制御する制御用部品を収容した制御箱、および筐体、を備えて成り、熱交換器、ドレンパン、送風機、および制御箱が筐体内に格納され、筐体にドレンパン出し入れ用開口が形成され、筐体の側板部にヒンジ部が配備され、制御箱がヒンジ部を介して筐体のドレンパン出し入れ用開口に対し格納取出し自在に筐体に連結されているものである。
【発明の効果】
【０００７】
この発明に係る空調用室内機は、筐体にドレンパン出し入れ用開口が形成され、筐体の側板部にヒンジ部が配備され、制御箱がヒンジ部を介して筐体のドレンパン出し入れ用開口に対し格納取出し自在に筐体に連結されているので、点検修理時に制御箱を筐体からヒンジ部回りに取り出すことができる。すなわち、制御箱を筐体から分離することなく連結したまま取り出せる。これにより、ドレンパンを筐体のドレンパン出し入れ用開口から取り出す作業の際に、制御箱から現地配線を取り外す必要がなく、機内配線を制御箱から取り外すのみで制御箱を筐体の側板部に連結したままドレンパンを筐体から取り外せるという、ドレンパン着脱性向上化の効果を有する。
【図面の簡単な説明】
【０００８】
【図１】この発明の実施の形態１における空気調和装置の空調用室内機を斜め下から見た全体外観図である。
【図２】前記空調用室内機を斜め上から見た内部構造図である。
【図３】前記空調用室内機の筐体に格納されているドレンパンを示す図であって、（ａ）は斜め上から見た斜視図、（ｂ）は斜め下から見た斜視図である。
【図４】前記空調用室内機の筐体の側板部を示す外観図である。
【図５】前記空調用室内機の制御箱を斜め下から見た斜視図である。
【図６】前記空調用室内機の制御箱と筐体の側板部とをヒンジ部で接続している状態を示す部分拡大斜視図である。
【図７】前記空調用室内機の長手方向に破断した断面を含む斜視図である。
【図８】前記空調用室内機において制御箱の係合用爪部を側板部の係合用切欠き部に引っ掛けた時の制御箱の状態を示す側断面図である。
【図９】前記空調用室内機において筐体のドレンパン出し入れ用開口からドレンパンを取り出す時の制御箱の状態を示す側断面図である。
【図１０】前記空調用室内機において筐体のドレンパン出し入れ用開口からドレンパンを取り出す時の制御箱の傾き角度状態を示す側断面図である。
【図１１】前記空調用室内機において制御箱を開いた状態で機内配線を側板部の内面とドレンパンの外面との間を通している態様を示す側断面図である。
【発明を実施するための形態】
【０００９】
実施の形態１．
図１はこの発明の実施の形態１における空気調和装置の空調用室内機を斜め下から見た全体外観図、図２は前記空調用室内機を斜め上から見た内部構造図、図３は前記空調用室内機の筐体に格納されているドレンパンを示す図であって、（ａ）は斜め上から見た斜視図、（ｂ）は斜め下から見た斜視図、図４は前記空調用室内機の筐体の側板部を示す外観図、図５は前記空調用室内機の制御箱を斜め下から見た斜視図、図６は前記空調用室内機の制御箱と筐体の側板部とをヒンジ部で接続している状態を示す部分拡大斜視図、図７は前記空調用室内機の長手方向に破断した断面を含む斜視図である。
各図において、この発明の実施形態１に係る空気調和装置の空調用室内機は天井カセット形二方向吹き出し式の室内機であり、圧縮機、室外熱交換器および膨張弁（いずれも図示省略）を有する冷媒回路の一部である熱交換器２１、熱交換器２１の下方に配備されたドレンパン２、熱交換器２１に送風する送風機３、送風機３や前記膨張弁などといった作動機器を作動制御する制御用部品（図示省略）を収容した制御箱１、および天井Ｔの取付用開口部Ｒ（図８参照）に取り付けられる筐体４、を備えて構成されている。そして、熱交換器２１、ドレンパン２、送風機３、および制御箱１は、方形箱状の筐体４内に格納されている。この筐体４の下面は、ドレンパン出し入れ用開口Ｕとして開口して形成されている。このドレンパン出し入れ用開口Ｕはドレンパン２の装着により蓋止される。筐体４の側板部４Ａの下辺には、ヒンジ部６１が配備されている。
【００１０】
制御箱１は、ドレンパン２の下方位置にある制御箱収納部３１（すなわちドレンパン２において最も深く形成されている集水部２Ｂと干渉しない非干渉空間Ｓ）に収納される。そして、ドレンパン２および制御箱１は、筐体４の下面のドレンパン出し入れ用開口Ｕから下方に取り出される構成にされている。ヒンジ部６１と制御箱１とは、制御箱１の係合用爪部５３を介して連結されている。板部１Ａの寸法Ｌは、ヒンジ部６１の近傍位置にあるドレンパン２の集水部２Ｂの高さ寸法ｔよりも大きくなるように予め設定されている（図９参照）。そして、制御箱１が自重により筐体４の下面のドレンパン出し入れ用開口Ｕから開いたときに、筐体４のドレンパン出し入れ用開口Ｕに対する板部１Ａの開き角度θが９０度以上となるように、制御箱１の重心Ｇが予め設定されている（図１０参照）。
【００１１】
この構成において、筐体４の側板部４Ａの下辺近傍位置には、図４に示すように、１対の係合用切欠き部４１，４１が形成されている。また、制御箱１は、図５に示すように、既述した制御用部品を収容した制御箱本体５１と、制御箱本体５１の開口部を蓋止する平板状の制御箱カバー５２とから構成され、制御箱カバー５２の端部が板部１Ａとなっている。そして、図６に示すように、制御箱本体５１に設けられた係合用爪部５３，５３は、制御箱１が制御箱カバー５２が底面側になる姿勢に配された状態で、筐体４における側板部４Ａの係合用切欠き部４１，４１に装入されて係合するようになっている。
【００１２】
ヒンジ部６１は、筐体４の側板部４Ａの下辺近傍位置に貫通して形成された１対の係合用切欠き部４１，４１と、制御箱本体５１の先端に形成された１対の係合用爪部５３，５３と、から構成されている。これらの係合用爪部５３，５３は、係合用切欠き穴部４１，４１に取付け取外し可能に挿入され、且つ、上下揺動自在に係止されるようになっている。すなわち、制御箱カバー５２と制御箱本体５１がねじで固定され、係合用爪部５３，５３が側板部４Ａの係合用切欠き部４１，４１と係合することにより、制御箱１が筐体４に連結される。
【００１３】
次に、現地配線５の制御箱１への引き回し方を示す。図４および図６に示すように、筐体４の側板部４Ａに取り付けられているゴムブッシュ４２に現地配線５が通される。続いて、現地配線５が、図５に示すように、制御箱１の制御箱本体５１と制御箱カバー５２との隙間を通されたのちに、制御箱１内の端子台に接続される。そして、機内配線５４は、その一端が送風機３や膨張弁（図示省略）などの作動機器に接続され、その他端が制御箱１内の端子台（図示省略）に接続されるようになっており、ドレンパン２の機内配線経路部２Ａを通されて配線される。
【００１４】
次に動作について説明する。
このように構成された空調用室内機においては、ドレンパン２の清掃の際、ドレンパン２から制御箱１を取り外すために、制御箱１内の端子台に接続されていた機内配線５４が取り外される。その後、制御箱１をドレンパン２に固定していたねじ（図示省略）が取り外される。このように、ドレンパン２に制御箱１を固定していたねじを取り外しても、制御箱１の係合用爪部５３，５３が、側板部４Ａの係合用切欠き部４１，４１を支点として上下揺動するから、制御箱１が側板部４Ａに連結されたままであり、図８のように吊り下げ支持される。
【００１５】
以上のように、この実施形態に係る空調用室内機は、筐体４の側板部４Ａの下辺に配備されたヒンジ部６１を介して、制御箱１が筐体４に対し格納取出し自在に連結されているので、通常の運転時には制御箱１を筐体４におけるドレンパン出し入れ用開口Ｕ内の非干渉空間Ｓに格納でき、点検修理時には筐体４から制御箱１をヒンジ部６１回りに取り出すことができる。すなわち、制御箱１を筐体４から分離することなく連結したまま取り出せるのである。これにより、ドレンパン２を筐体４のドレンパン出し入れ用開口Ｕから取り出す作業の際に、制御箱１から現地配線５を取り外す必要がなく、制御箱１を筐体４の側板部４Ａに連結したままでドレンパン取り出し作業を行えるので、ドレンパン２の着脱作業性の向上化を図ることができる。
【００１６】
また、ヒンジ部６１と制御箱１の板部１Ａの寸法Ｌが、ヒンジ部６１の近傍位置にあるドレンパン２の集水部２Ｂの高さ寸法ｔよりも大きくなるように設定されているので、板部１Ａをヒンジ部６１回りに開いて制御箱１を下方に取り出したのち、図９に示すように、ドレンパン２をドレンパン出し入れ用開口Ｕから下方に取り出しても、集水部２Ｂが制御箱１に当接干渉しないから、ドレンパン出し入れ用開口Ｕに対するドレンパン２の出し入れを支障なく行なうことができる。
【００１７】
そして、制御箱１の重心Ｇが所定に設定されているので、制御箱１を下方に取り出したときに、図１０に示すように、制御箱１の自重により板部１Ａがドレンパン出し入れ用開口Ｕに対して９０度以上に開くので、集水部２Ｂと制御箱１との干渉をよりいっそう防止でき、ドレンパン２の出し入れを極めて容易に行なうことができる。
【００１８】
更に、ヒンジ部６１が、側板部４Ａの係合用切欠き部４１，４１と、着脱自在の係合用爪部５３，５３とから構成されているので、必要に応じて制御箱１を筐体４から取り外すことができ、点検修理時の応用性が高くなる。また、係合用切欠き部４１，４１および係合用爪部５３，５３は板金の打ち抜き加工などにより簡単に製作でき、別部品も不要であるから、安価に提供され得る。
尚、上記のように、制御箱１が筐体４のドレンパン出し入れ用開口Ｕから取り出される時でも、制御箱１に接続されている現地配線５は、制御箱１内に設けられた配線止め６に予め保持されているので、現地配線５に張力がかかって不具合を生じるといったことはない。
【００１９】
ここで、図９および図１０に示すように、機内配線５４はドレンパン２の底面側から制御箱１に接続されているが、機内配線５４は、図１１に示すように、ドレンパン２の外側面２Ｃと側板部４Ａの内側面４ＡＡとの間を通され、現地配線５と同様に、更に制御箱本体５１と制御箱カバー５２との隙間を通されて、制御箱１内の端子台に接続されても構わない。このように構成することで、制御箱1から機内配線５４および現地配線５を取り外すことなく、ドレンパン２を筐体４から取り出すことが可能になる。
【００２０】
尚、上記の実施形態では、ヒンジ部として、筐体４の係合用切欠き部４１と板部１Ａの係合用爪部５３とから構成したものを例示したが、この発明はそれに限定されるものでない。例えば、筐体４の下辺に係合用爪部５３相当体を突設する一方、板部１Ａの先端に前記の係合用爪部５３相当体と係合する係合用切欠き部４１相当体を形成し、これらをヒンジ部として用いても構わない。あるいは、本発明のヒンジ部として、汎用の蝶番体を用いることも可能である。
【符号の説明】
【００２１】
１  制御箱
１Ａ  板部
２  ドレンパン
２Ａ  機内配線経路
２Ｂ  集水部
２Ｃ  外側面
３  送風機
４  筐体
４Ａ  側板部
４ＡＡ  内側面
５  現地配線
６  配線止め
２１  熱交換器
３１  制御箱収納部
４１  係合用切欠き部
４２  ゴムブッシュ
５１  制御箱本体
５２  制御箱カバー
５３  係合用爪部
５４  機内配線
６１  ヒンジ部
Ｌ  寸法
Ｑ  隙間
Ｒ  取付用開口部
Ｓ  非干渉空間
ｔ  高さ寸法
Ｔ  天井
Ｕ  ドレンパン出し入れ用開口
θ  開き角度
【図１】
2017122343.tif 000003
【図２】
2017122343.tif 000004
【図３】
2017122343.tif 000005
【図４】
2017122343.tif 000006
【図５】
2017122343.tif 000007
【図６】
2017122343.tif 000008
【図７】
2017122343.tif 000009
【図８】
2017122343.tif 000010
【図９】
2017122343.tif 000011
【図１０】
2017122343.tif 000012
【図１１】
2017122343.tif 000013
【手続補正書】
【提出日】平成30年4月24日(2018.4.24)
【手続補正１】
【補正対象書類名】明細書
【補正対象項目名】０００６
【補正方法】変更
【補正の内容】
【０００６】
この発明に係る空調用室内機は、熱交換器と、前記熱交換器に送風する送風機と、前記熱交換器の下方に配備され、下面側に突出する集水部を備えたドレンパンと、前記ドレンパンの下面側に配備される制御箱と、下面に開口するドレンパン出し入れ用開口が形成され、前記熱交換器、前記送風機、前記ドレンパン、及び、前記制御箱を収容する筐体と、を備え、前記制御箱は、制御箱本体と、前記制御箱本体を蓋止する制御箱カバーと、前記制御箱カバーから前記筐体を構成する側板部に向けて延在し、前記制御箱カバーの端部を形成する板部と、により構成されており、前記制御箱が、前記ドレンパン出し入れ用開口を蓋止する前記ドレンパンの前記集水部に隣接する位置に収容され、前記側板部に形成されたヒンジ部により前記筐体に接続されており、前記板部の前記制御箱から前記側板部までの寸法が、前記ドレンパンの前記集水部の高さ寸法よりも大きいものである。
【手続補正２】
【補正対象書類名】特許請求の範囲
【補正対象項目名】全文
【補正方法】変更
【補正の内容】
【特許請求の範囲】
【請求項１】
熱交換器と、前記熱交換器に送風する送風機と、前記熱交換器の下方に配備され、下面側に突出する集水部を備えたドレンパンと、前記ドレンパンの下面側に配備される制御箱と、下面に開口するドレンパン出し入れ用開口が形成され、前記熱交換器、前記送風機、前記ドレンパン、及び、前記制御箱を収容する筐体と、を備え、
前記制御箱は、
制御箱本体と、
前記制御箱本体を蓋止する制御箱カバーと、
前記制御箱カバーから前記筐体を構成する側板部に向けて延在し、前記制御箱カバーの端部を形成する板部と、により構成されており、
前記制御箱が、
前記ドレンパン出し入れ用開口を蓋止する前記ドレンパンの前記集水部に隣接する位置に収容され、
前記側板部に形成されたヒンジ部により前記筐体に接続されており、
前記板部の前記制御箱から前記側板部までの寸法が、前記ドレンパンの前記集水部の高さ寸法よりも大きい、空調用室内機。
【請求項２】
前記制御箱には、外部からの現地配線が接続されており、
前記現地配線は、
前記側板部を貫通し、
前記制御箱カバーと、前記制御箱本体との隙間を通して配線されている、
請求項１に記載の空調用室内機。
【請求項３】
前記ヒンジ部は、
前記側板部の下部を貫通して形成されている係合用切欠き部と、
前記板部の端部に突設され、前記係合用切欠き部に取付け及び取外し可能に挿入される係合用爪部と、
により構成されており、
前記制御箱を、前記ヒンジ部を支点に上下搖動自在に係止している、
請求項１又は２に記載の空調用室内機。
【請求項４】
前記制御箱と、前記ドレンパンとは、
ねじによりに固定されている、
請求項１〜３のいずれか一項に記載の空調用室内機。
【請求項５】
前記ヒンジ部が、前記側板部の下部に配備され、
前記制御箱が、前記ドレンパンの下方位置にある前記ドレンパンとの非干渉空間に格納されるとともに、前記制御箱が前記ドレンパン出し入れ用開口から下方に取り出し可能に収納されており、
前記ヒンジ部と前記制御箱とが係合用爪部を介して連結されている
請求項１に記載の空調用室内機。
【請求項６】
前記制御箱が自重により前記筐体の下面から開いたときの前記筐体の下面の前記ドレンパン出し入れ用開口に対する前記板部の開き角度が９０°以上となるように、前記制御箱の重心が設定されている請求項５に記載の空調用室内機。
【請求項７】
前記ヒンジ部が、前記側板部に形成された係合用切欠き部と、前記制御箱に突設されていて前記係合用切欠き部に取付け取外し可能に挿入され且つ上下搖動自在に係止される係合用爪部と、から構成されている請求項５又は６に記載の空調用室内機。
【請求項８】
一端が前記送風機に接続され他端が前記制御箱に接続される機内配線が、前記ドレンパンの外側面と前記筐体の前記側板部の内面との隙間を通されて配線される請求項１〜７のいずれか一項に記載の空調用室内機。
【国際調査報告】
2017122343.tif 000014
2017122343.tif 000015
2017122343.tif 000016
2017122343.tif 000017